(57)【特許請求の範囲】
【請求項１】
環状光源体を照明器具本体の下面側において取り外し可能に吊持するフック部材と、
前記フック部材を照明器具本体に保持するフック部材保持手段とを備え、
前記フック部材の保持位置が照明器具本体の径方向に変更可能となされ、
前記フック部材保持手段は、
前記照明器具本体に固定された保持基体と、
前記フック部材の基端部が取り付けられたスライダであって、前記保持基体により前記照明器具本体の径方向にスライド移動可能に保持されたスライダと、
を備え、
前記フック部材が板ばね材で構成され、
前記保持基体は、前記スライダをスライド移動した際に前記径方向の所定位置で前記スライダをロック状態に固定する突部を有し、
前記フック部材の基端部に固定解除操作部が設けられ、該固定解除操作部に対して前記フック部材のばね力に抗する押圧操作を行うことにより前記スライダのロック固定状態が解除されるものとなされていることを特徴とする照明器具における環状光源体の取り付け機構。
【請求項２】
互いにサイズが異なる複数の環状光源体を照明器具本体の下面側において取り外し可能に吊持する複数のフック部材と、
前記複数のフック部材を照明器具本体に保持するフック部材保持手段とを備え、
前記複数のフック部材のうちの少なくともいずれか１つのフック部材の保持位置が照明器具本体の径方向に変更可能となされ、
前記フック部材保持手段は、
前記照明器具本体に固定された保持基体と、
前記フック部材の基端部が取り付けられたスライダであって、前記保持基体により前記照明器具本体の径方向にスライド移動可能に保持されたスライダと、
を備え、
前記フック部材が板ばね材で構成され、
前記保持基体は、前記スライダをスライド移動した際に前記径方向の所定位置で前記スライダをロック状態に固定する突部を有し、
前記フック部材の基端部に固定解除操作部が設けられ、該固定解除操作部に対して前記フック部材のばね力に抗する押圧操作を行うことにより前記スライダのロック固定状態が解除されるものとなされていることを特徴とする照明器具における環状光源体の取り付け機構。
【請求項３】
互いにサイズが異なる２つの環状光源体のうちのサイズの小さい環状光源体を照明器具本体の下面側において取り外し可能に吊持する内方側フック部材と、
前記２つの環状光源体のうちのサイズの大きい環状光源体を照明器具本体の下面側において取り外し可能に吊持する外方側フック部材と、
前記両フック部材を照明器具本体に保持するフック部材保持手段とを備え、
前記両フック部材のうちの少なくともいずれか一方のフック部材の保持位置が照明器具本体の径方向に変更可能となされ、
前記フック部材保持手段は、
前記照明器具本体に固定された保持基体と、
前記フック部材の基端部が取り付けられたスライダであって、前記保持基体により前記照明器具本体の径方向にスライド移動可能に保持されたスライダと、
を備え、
前記フック部材が板ばね材で構成され、
前記保持基体は、前記スライダをスライド移動した際に前記径方向の所定位置で前記スライダをロック状態に固定する突部を有し、
前記フック部材の基端部に固定解除操作部が設けられ、該固定解除操作部に対して前記フック部材のばね力に抗する押圧操作を行うことにより前記スライダのロック固定状態が解除されるものとなされていることを特徴とする照明器具における環状光源体の取り付け機構。
【請求項４】
互いにサイズが異なる複数の環状光源体を照明器具本体の下面側において取り外し可能に吊持する複数のフック部材と、
前記複数のフック部材を照明器具本体に保持するフック部材保持手段とを備え、
前記複数のフック部材のうちの少なくともいずれか１つのフック部材の保持位置が、他のフック部材に対して照明器具本体の径方向に変更可能となされていることを特徴とする照明器具における環状光源体の取り付け機構。
【請求項５】
互いにサイズが異なる２つの環状光源体のうちのサイズの小さい環状光源体を照明器具本体の下面側において取り外し可能に吊持する内方側フック部材と、
前記２つの環状光源体のうちのサイズの大きい環状光源体を照明器具本体の下面側において取り外し可能に吊持する外方側フック部材と、
前記両フック部材を照明器具本体に保持するフック部材保持手段とを備え、
前記両フック部材のうちの少なくともいずれか一方のフック部材の保持位置が、他のフック部材に対して照明器具本体の径方向に変更可能となされていることを特徴とする照明器具における環状光源体の取り付け機構。
【請求項６】
前記内方側フック部材及び前記外方側フック部材の両方の保持位置が照明器具本体の径方向に変更可能となされている請求項３又は５に記載の照明器具における環状光源体の取り付け機構。
【請求項７】
請求項１〜６のいずれか１項に記載の取り付け機構を備えた照明器具。
【発明の詳細な説明】
【技術分野】
【０００１】
この発明は、環状蛍光灯を備えた照明器具などに適用される照明器具における環状光源体の取り付け機構に関する。
【背景技術】
【０００２】
一般に、照明器具に使用される環状蛍光灯としては、消費電力に応じて直径サイズが異なる３種類の環状蛍光灯が市販されている。例えば、最大サイズの環状蛍光灯が５０（４８）Ｗ、最小サイズの環状蛍光灯が３０（２８）Ｗ、それらの中間サイズの環状蛍光灯が４０（３８）Ｗである。
【０００３】
このような環状蛍光灯照明器具としては、従来より、例えば、８畳用として、メーカー側で３０Ｗの環状蛍光灯と５０Ｗの環状蛍光灯とを組み合わせて照明器具本体に取り付けて８０Ｗ仕様とした構成のものが公知である（特許文献１参照）。
【特許文献１】特開２００４−７１３５０号公報
【発明の開示】
【発明が解決しようとする課題】
【０００４】
ところが、従来では、上記直径サイズが異なる３種類の環状蛍光灯のうちから、部屋の広さに応じた蛍光灯サイズの組み合わせ仕様がメーカーで決められているのであるが、ユーザがこのような照明器具を購入して自分の部屋に配置した際に、実際の部屋の明るさとユーザがイメージしていた明るさとに若干の差異を感じることは少なくなかった。例えば、ユーザが８畳用として、３０Ｗと５０Ｗとの組み合わせの環状蛍光灯が取り付けられた８０Ｗの照明器具を購入し、これを実際に部屋に取り付けた場合、明るさが物足りなく感じたり、或いは明る過ぎる感じを受けることがあった。しかしながら、３０Ｗと５０Ｗとの組み合わせを変更することはできず、そのまま我慢して使用するのを余儀なくされていたのが実状である。
【０００５】
この発明は、上記実状に鑑みてなされたものであり、異なるサイズの環状光源体から任意に１つを選択して取り付けることが可能となる、又は異なるサイズの複数の環状光源体を任意に組み合わせて取り付けることが可能となる、照明器具における環状光源体の取り付け機構を提供することを目的とする。
【課題を解決するための手段】
【０００６】
前記目的を達成するために、本発明は以下の手段を提供する。
【０００７】
［１］  環状光源体を照明器具本体の下面側において取り外し可能に吊持するフック部材と、
前記フック部材を照明器具本体に保持するフック部材保持手段とを備え、
前記フック部材の保持位置が照明器具本体の径方向に変更可能となされ、
前記フック部材保持手段は、
前記照明器具本体に固定された保持基体と、
前記フック部材の基端部が取り付けられたスライダであって、前記保持基体により前記照明器具本体の径方向にスライド移動可能に保持されたスライダと、
を備え、
前記フック部材が板ばね材で構成され、
前記保持基体は、前記スライダをスライド移動した際に前記径方向の所定位置で前記スライダをロック状態に固定する突部を有し、
前記フック部材の基端部に固定解除操作部が設けられ、該固定解除操作部に対して前記フック部材のばね力に抗する押圧操作を行うことにより前記スライダのロック固定状態が解除されるものとなされていることを特徴とする照明器具における環状光源体の取り付け機構。
【０００８】
［２］  互いにサイズが異なる複数の環状光源体を照明器具本体の下面側において取り外し可能に吊持する複数のフック部材と、
前記複数のフック部材を照明器具本体に保持するフック部材保持手段とを備え、
前記複数のフック部材のうちの少なくともいずれか１つのフック部材の保持位置が照明器具本体の径方向に変更可能となされ、
前記フック部材保持手段は、
前記照明器具本体に固定された保持基体と、
前記フック部材の基端部が取り付けられたスライダであって、前記保持基体により前記照明器具本体の径方向にスライド移動可能に保持されたスライダと、
を備え、
前記フック部材が板ばね材で構成され、
前記保持基体は、前記スライダをスライド移動した際に前記径方向の所定位置で前記スライダをロック状態に固定する突部を有し、
前記フック部材の基端部に固定解除操作部が設けられ、該固定解除操作部に対して前記フック部材のばね力に抗する押圧操作を行うことにより前記スライダのロック固定状態が解除されるものとなされていることを特徴とする照明器具における環状光源体の取り付け機構。
【０００９】
［３］  互いにサイズが異なる２つの環状光源体のうちのサイズの小さい環状光源体を照明器具本体の下面側において取り外し可能に吊持する内方側フック部材と、
前記２つの環状光源体のうちのサイズの大きい環状光源体を照明器具本体の下面側において取り外し可能に吊持する外方側フック部材と、
前記両フック部材を照明器具本体に保持するフック部材保持手段とを備え、
前記両フック部材のうちの少なくともいずれか一方のフック部材の保持位置が照明器具本体の径方向に変更可能となされ、
前記フック部材保持手段は、
前記照明器具本体に固定された保持基体と、
前記フック部材の基端部が取り付けられたスライダであって、前記保持基体により前記照明器具本体の径方向にスライド移動可能に保持されたスライダと、
を備え、
前記フック部材が板ばね材で構成され、
前記保持基体は、前記スライダをスライド移動した際に前記径方向の所定位置で前記スライダをロック状態に固定する突部を有し、
前記フック部材の基端部に固定解除操作部が設けられ、該固定解除操作部に対して前記フック部材のばね力に抗する押圧操作を行うことにより前記スライダのロック固定状態が解除されるものとなされていることを特徴とする照明器具における環状光源体の取り付け機構。
【００１０】
［４］  互いにサイズが異なる複数の環状光源体を照明器具本体の下面側において取り外し可能に吊持する複数のフック部材と、
前記複数のフック部材を照明器具本体に保持するフック部材保持手段とを備え、
前記複数のフック部材のうちの少なくともいずれか１つのフック部材の保持位置が、他のフック部材に対して照明器具本体の径方向に変更可能となされていることを特徴とする照明器具における環状光源体の取り付け機構。
【００１１】
［５］  互いにサイズが異なる２つの環状光源体のうちのサイズの小さい環状光源体を照明器具本体の下面側において取り外し可能に吊持する内方側フック部材と、
前記２つの環状光源体のうちのサイズの大きい環状光源体を照明器具本体の下面側において取り外し可能に吊持する外方側フック部材と、
前記両フック部材を照明器具本体に保持するフック部材保持手段とを備え、
前記両フック部材のうちの少なくともいずれか一方のフック部材の保持位置が、他のフック部材に対して照明器具本体の径方向に変更可能となされていることを特徴とする照明器具における環状光源体の取り付け機構。
【００１２】
［６］  前記内方側フック部材及び前記外方側フック部材の両方の保持位置が照明器具本体の径方向に変更可能となされている請求項３又は５に記載の照明器具における環状光源体の取り付け機構。
【００１３】
［７］前項１〜６のいずれか１項に記載の取り付け機構を備えた照明器具。
【発明の効果】
【００１４】
［１］の発明によれば、フック部材保持手段に保持されたフック部材の保持位置が照明器具本体の径方向に変更可能となされているから、異なるサイズの複数の環状光源体から任意に１つを選択して取り付けることが可能となるし、また一旦取り付けた後においても新たにサイズの異なる環状光源体に変更して取り付けることが可能である。
【００１５】
また、互いにサイズが異なる複数の環状光源体に対応して複数のフック部材を設けた場合には、異なるサイズの複数の環状光源体を任意に組み合わせて取り付けることが可能となるし、また一旦取り付けた後においても前記環状光源体の組み合わせを変更して取り付けることが可能である。
さらに、フック部材の基端部が取り付けられたスライダが、保持基体に照明器具本体の径方向にスライド移動可能に保持されているから、スライダを速やか且つスムーズに所望位置に移動させることができる。即ち、フック部材の保持位置の変更に際し、スライダをスライド移動させるだけで良いから、フック部材の保持位置の変更を速やか且つスムーズに行うことができる。
これらに加えて、保持基体の突部によりスライダをロック状態に固定できると共に、固定解除操作部を押圧することにより容易にスライダのロック固定状態を解除できるので、フック部材の保持位置の変更操作が非常に容易である。
【００１６】
［２］の発明によれば、フック部材保持手段に保持された複数のフック部材のうち少なくともいずれか１つのフック部材の保持位置が照明器具本体の径方向に変更可能となされているから、異なるサイズの複数の環状光源体を任意に組み合わせて取り付けることが可能となるし、また一旦取り付けた後においても前記環状光源体の組み合わせを変更して取り付けることが可能である。
さらに、フック部材の基端部が取り付けられたスライダが、保持基体に照明器具本体の径方向にスライド移動可能に保持されているから、スライダを速やか且つスムーズに所望位置に移動させることができる。即ち、フック部材の保持位置の変更に際し、スライダをスライド移動させるだけで良いから、フック部材の保持位置の変更を速やか且つスムーズに行うことができる。
これらに加えて、保持基体の突部によりスライダをロック状態に固定できると共に、固定解除操作部を押圧することにより容易にスライダのロック固定状態を解除できるので、フック部材の保持位置の変更操作が非常に容易である。
【００１７】
［３］の発明によれば、フック部材保持手段に保持された内方側フック部材及び外方側フック部材のうち少なくともいずれか一方のフック部材の保持位置が照明器具本体の径方向に変更可能となされているから、例えば互いにサイズの異なる３種類以上の環状光源体の中から２種類の環状光源体を任意に選んで組み合わせて取り付けることが可能となるし、また一旦取り付けた後においても前記環状光源体の組み合わせを変更して取り付けることが可能である。
さらに、フック部材の基端部が取り付けられたスライダが、保持基体に照明器具本体の径方向にスライド移動可能に保持されているから、スライダを速やか且つスムーズに所望位置に移動させることができる。即ち、フック部材の保持位置の変更に際し、スライダをスライド移動させるだけで良いから、フック部材の保持位置の変更を速やか且つスムーズに行うことができる。
これらに加えて、保持基体の突部によりスライダをロック状態に固定できると共に、固定解除操作部を押圧することにより容易にスライダのロック固定状態を解除できるので、フック部材の保持位置の変更操作が非常に容易である。
【００１８】
［４］の発明によれば、フック部材保持手段に保持された複数のフック部材のうち少なくともいずれか１つのフック部材の保持位置が、他のフック部材に対して照明器具本体の径方向に変更可能となされているから、異なるサイズの複数の環状光源体を任意に組み合わせて取り付けることが可能となるし、また一旦取り付けた後においても前記環状光源体の組み合わせを変更して取り付けることが可能である。
また、１つのフック部材の保持位置を照明器具本体の径方向に変更し、他のフック部材との間隔を変更することによって、サイズの異なる環状光源体の組み合わせのバリエーションを増大させることができる。
【００１９】
［５］の発明によれば、フック部材保持手段に保持された内方側フック部材及び外方側フック部材のうち少なくともいずれか一方のフック部材の保持位置が他のフック部材に対して、照明器具本体の径方向に変更可能となされているから、例えば互いにサイズの異なる３種類以上の環状光源体の中から２種類の環状光源体を任意に選んで組み合わせて取り付けることが可能となるし、また一旦取り付けた後においても前記環状光源体の組み合わせを変更して取り付けることが可能である。
また、一方のフック部材の保持位置を照明器具本体の径方向に変更し、他のフック部材との間隔を変更することによって、サイズの異なる環状光源体の組み合わせのバリエーションを増大させることができる。
【００２０】
［６］の発明によれば、前記内方側フック部材及び前記外方側フック部材の両方の保持位置が照明器具本体の径方向に変更可能となされているから例えば互いにサイズの異なる３種類以上の環状光源体の中から２種類の環状光源体を任意に選んで組み合わせて取り付けるバリエーションを増大させることができる。例えば、照明器具としての明るさの設定のバリエーションを増やすことができる。
【００２１】
［７］の発明に係る照明器具によれば、異なるサイズの複数の環状光源体から任意に１つを選択して取り付けることが可能となるし、また一旦取り付けた後においても新たにサイズの異なる環状光源体に変更して取り付けることが可能であるので、使い勝手が格段に向上する。或いは、異なるサイズの複数の環状光源体を任意に組み合わせて取り付けることが可能となるし、また一旦取り付けた後においても前記環状光源体の組み合わせを変更して取り付けることが可能であるので、使い勝手が格段に向上する。
【発明を実施するための最良の形態】
【００２２】
図１は、この発明の一実施形態に係る、環状光源体の取り付け機構が適用された照明器具を示す概略斜視図である。
【００２３】
図１において、照明器具は、略円板状の照明器具本体１と、消費電力に応じて直径サイズが異なる複数種の環状光源体、例えば３種類の環状光源体２、３、４と、これら環状光源体２、３、４から選択された２種類のうちの直径サイズの小さい方の環状光源体を吊持する径方向内方側フック部材５と、前記選択された２種類の環状光源体のうちの直径サイズの大きい方の環状光源体を吊持する径方向外方側フック部材６と、前記フック部材５、６を照明器具本体１に保持するフック部材保持手段７と、を備えている。本実施形態では、前記環状光源体２、３、４として環状蛍光灯を用いている。
【００２４】
前記照明器具本体１は、直径サイズの異なる３種類の環状光源体、つまり最大サイズの環状光源体２、中間サイズの環状光源体３及び最小サイズの環状光源体４の中から任意に組み合わせて選ばれた互いに直径サイズが異なる２種類の環状光源体に対して電力を供給する電源部（図示せず）を備えている。
【００２５】
この電源部からは、前記最大サイズの環状光源体２の電力供給用として、あるいは中間サイズの環状光源体３の電力供給用として用いられる雌コネクタ１１が付設された電源コード１３と、前記最小サイズの環状光源体４の電力供給用として、あるいは中間サイズの環状光源体３の電力供給用として用いられる雌コネクタ１２が付設された電源コード１４とが引き出されている（図１参照）。
【００２６】
前記電源部は、上記直径サイズの異なる環状光源体２、３に対して共通の雌コネクタ１１により電力を供給し、また直径サイズの異なる環状光源体３、４に対して共通の雌コネクタ１２により電力を供給するために、消費電力に自動的に対応可能なワットフリーインバータ方式が採用されている。勿論、任意に選択した異なるサイズの環状光源体に合わせて（各光源体の消費電力に合わせて）、電力供給のための回路切り替えをユーザが手動で行うことができるように構成されていても良い。
【００２７】
なお、前記環状光源体２、３、４には、前記雌コネクタ１１、１２に電気的に接続される雄コネクタ２ａ、３ａ、４ａがそれぞれ設けられている。
【００２８】
前記照明器具本体１の径方向に離間して配置された前記一対のフック部材５、６は、３組配設されている（合計６個のフック部材が配設されている）。即ち、図１に示すように、これら３組の対のフック部材５、６は、前記照明器具本体１の下面側において互いに該器具本体１の周方向に略均等間隔になるように配置されている。
【００２９】
前記フック部材５、６は、板ばね材からなり、該フック部材の一端部（基端部）５ａ、６ａが略Ｌ字状に折曲される一方、前記フック部材の他端部（先端部）５ｂ、６ｂが前記環状光源体を着脱自在にかつ弾性的に抱持できるように略Ｃ字状に形成されている（図３参照）。
【００３０】
前記フック部材保持手段７は、図３、４に示すように、保持基体２０と、第１スライダ３１と、第２スライダ３２と、係合部４１、４２、４３とを備えている。
【００３１】
前記保持基体２０は、前記環状光源体２、３、４の径方向に沿った長辺を有する長方形に成形されている。この保持基体２０は、３個配設されており、これら３個の保持基体２０は、前記照明器具本体１の下面側に互いに該照明器具本体１の周方向に略均等間隔になるように固定されている。即ち、前記保持基体２０は、いずれも保持基体２０の下面側から貫通したねじ２１により前記照明器具本体１の下面側に固定されている（図２〜４参照）。なお、前記フック部材保持手段７の数は、特に限定されるものではなく、例えば２個であっても良いし、或いは４個以上であっても良い。勿論、この場合においても、これら複数のフック部材保持手段７は、互いに前記照明器具本体１の周方向に略均等間隔になるように配置されるのが好ましい。
【００３２】
前記保持基体２０の下面には、図２〜４に示すように、長手方向（前記径方向）へ沿って延びる長溝２２が形成されている。前記保持基体２０の長溝２２に、第１スライダ３１及び第２スライダ３２が摺動可能に嵌着されている。
【００３３】
前記第１スライダ３１は、径方向の内方側位置に下方へ（図３では上方）突出する中空状の固定解除操作部３３が一体に形成されており、該固定解除操作部３３に中空部３３ａが形成されている（図３参照）。
【００３４】
また、前記第２スライダ３２は、径方向の内方側位置に下方へ（図３では上方）突出する中空状の固定解除操作部３４が一体に形成されており、該固定解除操作部３４に中空部３４ａが形成されている（図３参照）。
【００３５】
前記径方向内方側フック部材５は、その基端部５ａを前記第１スライダ３１のフック保持孔３１ａに下面側から差し込んだ状態で該基端部５ａの基端が前記固定解除操作部３３の中空部３３ａに係合保持されている。
【００３６】
また、前記径方向外方側フック部材６は、その基端部６ａを前記第２スライダ３２のフック保持孔３２ａに下面側から差し込んだ状態で該基端部６ａの基端が前記固定解除操作部３４の中空部３４ａに係合保持されている。
【００３７】
このように前記フック部材５、６の基端部５ａ、６ａの基端を前記固定解除操作部３３、３４の中空部３３ａ、３４ａにそれぞれ係合させることにより、前記固定解除操作部３３、３４に対して押圧操作を行うと、該押圧に抗するフック部材５、６のばね力を受けて元の状態に復帰する。
【００３８】
なお、本実施形態では、前記固定解除操作部３３は、前記フック部材５よりも径方向内方側に位置しているから、該固定解除操作部３３の突出が前記フック部材５に吊持された環状光源体の照明光の影になるおそれはない。また、前記固定解除操作部３４は、前記フック部材６よりも径方向内方側に位置しているから、該固定解除操作部３４の突出が前記フック部材６に吊持された環状光源体の照明光の影になるおそれはない。
【００３９】
前記長溝２２の長手方向の内端側、中央部および外端側の各位置には、それぞれ第１、第２及び第３のスライダ案内部２３、２４、２５が幅方向両側に形成されている（図２〜４参照）
第１のスライダ案内部２３の内端には、突部２３ａが一体形成されており、この突部２３ａは、前記第１スライダ３１を長溝２２の内端側にスライドさせた際に、第１スライダ３１内端に一体形成されている段部３１ｂに対して、図５（Ａ）に示すように、第１スライダ３１の内端変移位置で乗り越えて段部３１ｂに係合して位置決めする（ロック状態に固定する）ようになっている。
【００４０】
なお、第１スライダ３１を前記長溝２２の内端位置に位置決めした状態（ロック固定状態）は、固定解除操作部３３の押し込み操作により、図５（Ｂ）に示すように解除されるようになっていて、図５（Ｃ）に示すように第１スライダ３１をスライド移動させることができる。
【００４１】
しかして、前記突部２３ａと段部３１ｂとにより、第１の係合部４１が構成されている。
【００４２】
また、第２のスライダ案内部２４の内端には、突部２４ａが一体形成されており、この突部２４ａは、前記第１スライダ３１を長溝２２の中央部にスライドさせた際に前記段部３１ｂに対して乗り越えて段部３１ｂに係合して位置決めする（ロック状態に固定する）か、あるいは第２スライダ３２を長溝２２の中央部にスライドさせた際に第２スライダ３２内端に一体形成されている段部３２ｂに対して乗り越えて段部３２ｂに係合して位置決めする（ロック状態に固定する）ようになっている。
【００４３】
前記第１スライダ３１を長溝２２の中央部に位置決めした状態（ロック固定状態）は、前記固定解除操作部３３の押し込み操作により解除されるようになっている。また、前記第２スライダ３２を長溝２２の中央部に位置決めした状態（ロック固定状態）は、前記固定解除操作部３４の押し込み操作により解除されるようになっている。
【００４４】
しかして、前記突部２４ａと段部３１ｂもしくは段部３２ｂとにより、第２の係合部４２が構成されている。
【００４５】
また、前記第３のスライダ案内部２５の内端には、突部２５ａが一体形成されており、この突部２５ａは、前記第２スライダ３２を長溝２２の外端側にスライドさせた際に第２スライダ３２内端に一体形成されている段部３２ｂに対して乗り越えて段部３２ｂに係合して位置決めする（ロック状態に固定する）ようになっている。
【００４６】
前記第２スライダ３２を長溝２２の外端側に位置決めした状態（ロック固定状態）は、前記固定解除操作部３４の押し込み操作により解除されるようになっている。
【００４７】
しかして、前記突部２５ａと段部３２ｂとにより、第３の係合部４３が構成されている。
【００４８】
次に、前記直径サイズの異なる３種類の環状光源体２、３、４のうちから任意に選択した２種類のものを取り付ける手順を説明する。
【００４９】
この例では、図１に示すように、直径が最大サイズ（５０Ｗ）の環状光源体２、最小サイズ（３０Ｗ）の環状光源体４、中間サイズ（４０Ｗ）の環状光源体３の３種類のうちから任意に選択した２種類のものを取り付けることができ、例えば以下の（１）〜（３）のような取り付け仕様が可能となる。
（１）３種類の環状光源体２、３、４のうちから、ユーザが全体で７０Ｗに対応する明るさを得るために、最小サイズ（３０Ｗ）の環状光源体４と中間サイズ（４０Ｗ）の環状光源体３の組み合わせを選んで取り付ける場合。
【００５０】
まず、図６（Ａ）に示すように、第１スライダ３１を長溝２２の内端側にスライド移動させて保持基体２０に対してロック状態に固定することによって径方向内方側フック部材５を保持基体２０の内端位置にセットすると共に、第２スライダ３２を長溝２２の中央部にスライド移動させて保持基体２０に対してロック状態に固定することによって径方向外方側フック部材６を保持基体２０の中央部にセットする。
【００５１】
この時、第１スライダ３１が突部２３ａにより位置決めされてロック状態に固定される一方、第２スライダ３２が突部２４ａにより位置決めされてロック状態に固定される。
【００５２】
しかして、前記径方向内方側フック部材５の先端部５ｂに最小サイズの環状光源体４を押し込んで保持させ、また前記径方向外方側フック部材６の先端部６ｂに中間サイズの環状光源体３を押し込んで保持させる。
【００５３】
そして、一方の雌コネクタ１２を最小サイズ（３０Ｗ）の環状光源体４の雄コネクタ４ａに接続し、他方の雌コネクタ１１を中間サイズ（４０Ｗ）の環状光源体３の雄コネクタ３ａに接続することにより、３０Ｗ＋４０Ｗ＝７０Ｗに対応する明るさを得ることができる。
（２）３種類の環状光源体２、３、４のうちから、ユーザが全体で８０Ｗに対応する明るさを得るために、最小サイズ（３０Ｗ）の環状光源体４と最大サイズ（５０Ｗ）の環状光源体２の組み合わせを選んで取り付ける場合。
【００５４】
まず、図６（Ｂ）に示すように、第１スライダ３１を長溝２２の内端側にスライド移動させて保持基体２０に対してロック状態に固定することによって径方向内方側フック部材５を保持基体２０の内端位置にセットすると共に、第２スライダ３２を長溝２２の外端側にスライド移動させて保持基体２０に対してロック状態に固定することによって径方向外方側フック部材６を保持基体２０の外端位置にセットする。
【００５５】
この時、第１スライダ３１が突部２３ａにより位置決めされてロック状態に固定される一方、第２スライダ３２が突部２５ａにより位置決めされてロック状態に固定される。
【００５６】
しかして、前記径方向内方側フック部材５の先端部５ｂに最小サイズの環状光源体４を押し込んで保持させ、また前記径方向外方側フック部材６の先端部６ｂに最大サイズの環状光源体２を押し込んで保持させる。
【００５７】
そして、一方の雌コネクタ１２を最小サイズ（３０Ｗ）の環状光源体４の雄コネクタ４ａに接続し、他方の雌コネクタ１１を最大サイズ（５０Ｗ）の環状光源体２の雄コネクタ２ａに接続することにより、３０Ｗ＋５０Ｗ＝８０Ｗに対応する明るさを得ることができる。
（３）３種類の環状光源体２、３、４のうちから、ユーザが全体で９０Ｗに対応する明るさを得るために、中間サイズ（４０Ｗ）の環状光源体３と最大サイズ（５０Ｗ）の環状光源体２の組み合わせを選んで取り付ける場合。
【００５８】
まず、図６（Ｃ）に示すように、第１スライダ３１を長溝２２の中央部にスライド移動させて保持基体２０に対してロック状態に固定することによって径方向内方側フック部材５を保持基体２０の中央部にセットすると共に、第２スライダ３２を長溝２２の外端側にスライド移動させて保持基体２０に対してロック状態に固定することによって径方向外方側フック部材６を保持基体２０の外端位置にセットする。
【００５９】
この時、第１スライダ３１が突部２４ａにより位置決めされてロック状態に固定される一方、第２スライダ３２が突部２５ａにより位置決めされてロック状態に固定される。
【００６０】
しかして、前記径方向内方側フック部材５の先端部５ｂに中間サイズの環状光源体３を押し込んで保持させ、また前記径方向外方側フック部材６の先端部６ｂに最大サイズの環状光源体２を押し込んで保持させる。
【００６１】
そして、一方の雌コネクタ１２を中間サイズ（４０Ｗ）の環状光源体３の雄コネクタ３ａに接続し、他方の雌コネクタ１１を最大サイズ（５０Ｗ）の環状光源体２の雄コネクタ２ａに接続することにより、４０Ｗ＋５０Ｗ＝９０Ｗに対応する明るさを得ることができる。
【００６２】
このように、本発明の取り付け機構を備えた照明器具では、互いに直径サイズの異なる３種類の環状光源体２、３、４のうちからユーザが任意に選択した２種類のものを取り付けることができるし、ユーザが照明器具を購入して一旦取り付けた後でも、所望の明るさに設定できるように、前記環状光源体の組み合わせを変更して交換取り付けすることが可能であり、非常に便利である。
【００６３】
なお、この発明の目的を達成するものとして、互いに直径サイズが異なる３種類の環状光源体のそれぞれに対応させて互いに径方向に離間する３つのフック部材（フック部材の保持位置の変更はできないタイプ）を設けた構成の採用も想定されるところであるが、この場合、ユーザが３種類全ての環状光源体を取り付けて使用するものであると誤解しやすい。このように誤解したユーザが直径サイズが異なる３種類すべての環状光源体を取り付けた際に、電源部からの雌コネクタが２種類しか設けられていないことに違和感を覚え、これが雌コネクタが不足した不良製品だと誤解するおそれがある。この点、本発明の一実施形態である図１に示す照明器具では、同時に最大で２種類の環状光源体しか取り付けができないように、一対のフック部材５、６を設けると共に、２個の雌コネクタ１１、１２を設けてあるので、ユーザに対して前述したような取り付け仕様に誤解を与える心配はない。
【００６４】
なお、前記実施形態では、互いにサイズが異なる３種類の環状光源体のうちから２種類の環状光源体を任意に選んで組み合わせて取り付けるように構成されているが、特にこのような構成に限定されるものではなく、例えば、互いにサイズが異なる４種類以上の環状光源体のうちから２種類の環状光源体を任意に選んで組み合わせて取り付けるように構成されていても良い。また、互いにサイズが異なる４種類の環状光源体のうちから３種類の環状光源体を任意に選んで組み合わせて取り付けるように構成されていても良い（即ち径方向に離間して配置されるフック部材の数が３であり、該３つのフック部材のうちの少なくとも１つが保持位置の変更が可能なものであっても良い）。或いはまた、互いにサイズが異なる２種類、３種類または４種類以上の環状光源体のうちから１種類の環状光源体を選んで取り付けるように構成されていても良い（即ち径方向に保持位置の変更が可能なフック部材が１つ設けられた構成であっても良い）。
【００６５】
また、スライダに代えて、前記器具本体１に、フック部材５、６を着脱可能に保持する部材を、前記フック部材保持手段における径方向の所定位置（例えば径方向に離間した３箇所）に配置した構成を採用することもできる。
【００６６】
また、前記実施形態では、環状光源体として、環状蛍光灯を用いているが、特にこのような構成に限定されるものではなく、環状形状の光源体であればどのような光源も使用できる。
【００６７】
また、前記実施形態では、環状光源体として、平面視円形のものを用いているが、特にこのような構成に限定されるものではなく、例えば平面視略４角ループ形等、環状であればどのような形状のものでも適用可能である。
【図面の簡単な説明】
【００６８】
【図１】この発明の一実施形態に係る環状光源体の取り付け機構が適用された蛍光灯照明器具を示す概略斜視図である。
【図２】フック部材保持手段を示す下面図である。
【図３】図２のＡ−Ａ線の断面図である。
【図４】図２のＢ−Ｂ線の断面図である。
【図５】スライダの係合部を示す断面図である。（Ａ）スライダの位置決め状態（ロック状態）を示す。（Ｂ）スライダの位置決め状態（ロック状態）を解除した状態を示す。（Ｃ）スライダの変移状態（スライド移動状態）を示す。
【図６】環状光源体の取り付け手順の説明図である。（Ａ）最小サイズおよび中間サイズの環状光源体の取り付け例を示す。（Ｂ）最小サイズおよび最大サイズの環状光源体の取り付け例を示す。（Ｃ）中間サイズおよび最大サイズの環状光源体の取り付け例を示す。
【符号の説明】
【００６９】
１…照明器具本体
２、３、４…環状光源体
５…径方向内方側フック部材
５ａ…基端部
６…径方向外方側フック部材
６ａ…基端部
７…フック部材保持手段
２０…保持基体
２３ａ、２４ａ、２５ａ…突部
３１、３２…スライダ
３３、３４…固定解除操作部
【図１】
0004722769.tif 000002
【図２】
0004722769.tif 000003
【図３】
0004722769.tif 000004
【図４】
0004722769.tif 000005
【図５】
0004722769.tif 000006
【図６】
0004722769.tif 000007